(57)【要約】【課題】ドレンパンの着脱作業時間を短縮でき、メンテナンスが容易な天井埋込形空気調和機を得る。【解決手段】天井内に収納されるキャビネット２と、キャビネット２内に内装される熱交換器６と、キャビネット２内の熱交換器６の下方に配置される熱交換器６からの露を受けるドレンパン９と、ドレンパン９周囲のキャビネット２に形成した係止受部１１と、ドレンパン９の少なくとも一部を形成する樹脂部材で一体に形成され、樹脂部材の弾性変形により係止受部１１に着脱可能に係止する係止部１２と、を備え、ドレンパン９をキャビネット２に着脱可能に係止する。【選択図】        図２
2004232952.tif 000002
【特許請求の範囲】
【請求項１】
天井内に収納されるキャビネットと、前記キャビネット内に内装される熱交換器と、前記キャビネット内の前記熱交換器の下方に配置される前記熱交換器からの露を受けるドレンパンと、前記ドレンパン周囲の前記キャビネットに形成した係止受部と、前記ドレンパンの少なくとも一部を形成する樹脂部材で一体に形成され、樹脂部材の弾性変形により前記係止受部に着脱可能に係止する係止部と、を備え、前記ドレンパンを前記キャビネットに着脱可能に係止することを特徴とする天井埋込形空気調和機。
【請求項２】
前記係止部を前記ドレンパンの相対する両端部の２ヶ所に設けたことを特徴とする請求項１に記載の天井埋込形空気調和機。
【請求項３】
前記係止受部に穿設した角穴に、前記係止部は着脱可能に係止する爪を有し、前記係止受部に係止することを特徴とする請求項１または請求項２に記載の天井埋込形空気調和機。
【請求項４】
前記係止受部に係止した前記係止部が、前記係止受部から外れるように弾性変形可能なレバーを前記係止部に一体に形成したことを特徴とする請求項１ないし請求項３のいずれか１項に記載の天井埋込形空気調和機。
【請求項５】
前記キャビネットに前記キャビネットを天井部に吊り下げて固定する吊り金具を備え、この吊り金具に前記係止受部を一体に形成したことを特徴とする請求項１ないし請求項４のいずれか１項に記載の天井埋込形空気調和機。
【発明の詳細な説明】
【０００１】
【発明の属する技術分野】
この発明は天井埋込形空気調和機に係わり、特にメンテナンスの作業性を改善するドレンパンの取付構造に関するものである。
【０００２】
【従来の技術】
従来の天井埋込形空気調和機においては、天井に埋め込まれるキャビネット（本体ケーシング）の熱交換器の下部に設けられるドレンパン（露受皿）は、ドレンパン（露受皿）に設けられた取付用の挿通孔を挿通した４ヶ所のネジを、キャビネット（本体ケーシング）に設けられたネジ孔に螺着して固定されるようにしていた。（例えば、特許文献１参照）
【０００３】
【特許文献１】
特開平１１−２８１０８５号公報（第４頁、第５図）
【０００４】
【発明が解決しようとする課題】
従来の天井埋込形空気調和機は以上のように構成されているので、ドレンパンの上方に配置されている送風機や熱交換器などをメンテナンスする際やドレンパンの清掃等のメンテナンスを行う場合は、キャビネットの下面から化粧パネル（図示せず）を外した後、ドレンパンのコーナに締結されたネジをその都度外してドレンパンを外さなければならず、また、メンテナンス後は再びネジを締め付けてドレンパンをキャビネットに取り付けなければならず、天井部分の高所での作業ということもあり、作業に手間が掛かるという課題があった。
【０００５】
この発明は、上記のような課題を解消するためになされたもので、メンテナンスを容易にできる天井埋込形空気調和機を得ることを目的とする。
【０００６】
【課題を解決するための手段】
この発明に係わる天井埋込空気調和機は、天井内に収納されるキャビネットと、前記キャビネット内に内装される熱交換器と、前記キャビネット内の前記熱交換器の下方に配置される前記熱交換器からの露を受けるドレンパンと、前記ドレンパン周囲の前記キャビネットに形成した係止受部と、前記ドレンパンの少なくとも一部を形成する樹脂部材で一体に形成され、樹脂部材の弾性変形により前記係止受部に着脱可能に係止する係止部と、を備え、前記ドレンパンを前記キャビネットに着脱可能に係止するものである。
【０００７】
【発明の実施の形態】
実施の形態１．
図１〜図３はこの発明の実施の形態１の天井埋込形空気調和機を示す図で、図１は化粧パネルを取り外した状態の下面図、図２は図１のＩＩ−ＩＩ線の断面図、図３は図１のドレンパン部分の下面図である。図において、天井埋込形空気調和機本体１（以下、空気調和機本体と称す）は高所の天井に据え付けられるもので、外殻を板金部材等で形成された天井内に収納されるキャビネット２と、キャビネット２の下面を覆う化粧パネル（図示せず）で構成されている。また、このキャビネット２には四角にスポット溶接等で固着された板金部材等より成る吊り金具３が設けられ、天井側に設けた吊りボルト４にこの吊り金具３を締結してキャビネット２が天井に固定されている。
【０００８】
送風機５は回転させる送風機モータ５ａを備えてキャビネット２のほぼ中央に内装され、この送風機５を取り囲むように熱交換器６がキャビネット２に内装されている。そして、送風機５の回転によりキャビネット２下方の吸込口７から室内の空気を吸い込み、熱交換器６で空気を熱交換し、周囲に形成した吹出口８から室内に環流させて、冷房あるいは暖房等の空調を行っている。
【０００９】
また、熱交換器６の下部には、この熱交換器６から発生するドレン水を受けるドレンパン９を設けていて、ドレンパン９の上面部分９ａをＡＢＳ等の樹脂部材で形成し、その下部に断熱性のよい発泡材９ｂを一体に成形してドレンパン９を構成している。また、前記樹脂部材の上面部分９ａから一体に送風機５用のベルマウス９ｃ部分を形成し、部品数を少なくして安価に形成している。
【００１０】
係止受部１１はドレンパン９をドレンパン９の前記樹脂部材の弾性を利用してキャビネット２に着脱可能に係止させるようにキャビネット２に形成したもので、この実施の形態では、容易には変形しない板金部材により略Ｌ字状に形成した部品を、ドレンパン９周囲のキャビネット２の相対する対角部分の２ヶ所にスポット溶接等でキャビネット２に固着させて形成している。そして、この係止受部１１にはドレンパン２が着脱可能に係止する角穴１１ａが設けられている。
【００１１】
また、係止受部１１に着脱可能に係止するドレンパン９側の係止部１２は、係止受部１１に対応してドレンパン９の相対する両端部の２ヶ所に設けられ、また、ドレンパン９の少なくとも一部を形成する樹脂部材により一体に形成され、その樹脂部材の弾性変形により係止受部１１に着脱可能に係止するもので、この実施の形態では、ドレンパン９から略Ｌ字形に付根部１２ｄから突出形成し、その先端部分には角穴１１ａに係止する凸状の爪１２ａを設けている。
【００１２】
また、この爪１２ａの凸形状部分は、ドレンパン９をキャビネット２内に押し入れた時に角穴１１ａの縁に沿って当接して案内され、弾性により係止部１２が反るよう変形するようにした上部傾斜面１２ｂと、この上部傾斜面１２ｂが角穴１１ａを乗り越えて元の形状に弾性変形が戻り、角穴１１ａに係止される下部傾斜面１２ｃとで一連に形成している。そして、爪１２ａのこの下部傾斜面１２ｃが角穴１１ａに係止された時にドレンパン９がキャビネット２へ取り付き保持される係止力は、ドレンパン９にドレン水が入っていても外れない程度の保持力があり、また、メンテナンス作業者がドレンパン９をキャビネット２から引き抜こうとしたら、下部傾斜面１２ｃが係止受部１１の角穴１１ａの縁に沿って当接し案内されて爪１２ａが外れる方向へ弾性変形し、爪１２ａが角穴１１ａから外れ、ドレンパン９をキャビネット２から無理なく取り外すことができる程度の係止力にしている。
【００１３】
次に上記のように構成されるこの実施の形態１のドレンパン９の着脱動作について説明する。メンテナンス等が終了し、ドレンパン９をキャビネット２に取り付ける場合は、ドレンパン９をキャビネット２内の熱交換器６の底面部に突き当たる位置まで挿入していく。その際、ベルマウス９ｃとともにドレンパン９の樹脂部材で一体に形成された係止部１２の爪１２ａがキャビネット２側の係止受部１１の角穴１１ａに接触し、爪１２ａの上部傾斜面１２ｂに沿って図２の二点鎖線形状に示すように変形しながら係止受部１１の角穴１１ａに挿入され、上部傾斜面１２ｂを乗り越えてドレンパン９が熱交換器６の底面部に突き当たる位置で係止部１２が弾性により元の形状位置に戻り、爪１２ａの上部傾斜面１２ｂの下端から一連に形成された下部傾斜面１２ｃの下部が係止受部１１の角穴１１ａに引っ掛かり、ドレンパン９がキャビネット２に容易に取り付けられる。
【００１４】
また、ドレンパン９をメンテナンス等によりキャビネット２から取り外す場合は、ドレンパン９を下方へ引き下ろすとドレンパン９の樹脂部材により一体に形成した係止部１２の爪１２ａが係止受部１１の角穴１１ａに接触しながら下部傾斜面１２ｃに沿って、ドレンパン９をキャビネット２に取り付ける場合と同様に図２の二点鎖線形状のように変形しながら係止受部１１の角穴１１ａから係止部１２の爪１２ａが外れ、ドレンパン９をキャビネット２から容易に取り外すことができる。
【００１５】
また、係止部１２を２ヶ所にしているので、ドレンパン９を取り外す作業者が一人であっても両方の手で各係止部１２を外すことで、ドレンパン９をキャビネット２から容易に取り外すことができるわけである。また、係止部１２もドレンパン９の弾性変形を利用して係止させるだけなので、特別な部品等が不要で安価に係止する構造を構成できる効果もある。また，角穴１１ａと爪１２ａで構成しているので、簡単に構成でき、さらにまた、角穴１１ａ内に係止部１２が案内され係止しているので、ドレンパン９の位置が確実に決められ、かつ、係止部１２が係止受部１１から外れ難くくなるという効果もある。
【００１６】
また、ドレンパン９を取り外すメンテナンス作業としては、ドレンパン９の上部に収納された熱交換器６の洗浄や送風機モータ５ａの交換及びドレンパン９自体の清掃等であるが、近年の清潔志向や、また、飲料品店等ではドレンパン９の清掃を例えば２ヶ月に１回行いたい等、定期的に清掃を行いたいという要求も多くなってきており、この実施の形態のようにドレンパン９の取り付け及び取り外しを容易にしてドレンパン９の着脱作業時間を短縮できることは、空気調和機の利用者やメンテナンス作業者に取って利便性を向上できる効果が大きいものである。
【００１７】
このように、天井内に収納されるキャビネット２と、キャビネット２内に内装される熱交換器６と、キャビネット２内の熱交換器６の下方に配置される熱交換器６からの露を受けるドレンパン９と、ドレンパン９周囲のキャビネット２に形成した係止受部１１と、ドレンパン９の少なくとも一部を形成する樹脂部材で一体に形成され、樹脂部材の弾性変形により係止受部１１に着脱可能に係止する係止部１２と、を備え、ドレンパン９をキャビネット２に着脱可能に係止するので、ドレンパン９の着脱に従来のように多くのネジなどを外す必要もなく、ドレンパン９の着脱を容易にしてドレンパン９の着脱作業時間を短縮でき、メンテナンスを容易にできる効果がある。また、ドレンパン９の着脱にネジなどの部品を不用にでき、製品の部品点数を削減して、安価な製品を提供することができるという効果が得られる。
【００１８】
また、係止部１２をドレンパン９の相対する両端部の２ヶ所に設けたので、さらにドレンパン９の着脱を容易にでき、さらにメンテナンスを容易にできる天井埋込形空気調和機を得られる効果がある。
【００１９】
また、係止受部１１に穿設した角穴１１ａに、係止部１２は着脱可能に係止する爪１２ａを有し、係止受部１１に係止するので、簡単かつ安価な構成でドレンパンをキャビネットに係止できるという効果がある。また、角穴１１ａにガイドされて爪１２ａの左右などへの動きを規制できるようにもできるので、係止部１２が係止受部１１に確実に係止されるようにもできるという効果がある。
【００２０】
また、爪１２ａを上部傾斜面１２ｂと、この上部傾斜面１２ｂの下端から一連に形成した下部傾斜面１２ｃとで凸状に形成し、ドレンパン９をキャビネット２に押し入れた時に、係止受部１１に当接する上部傾斜面１２ｂに沿って係止部１２が弾性変形して爪１２ａが係止受部１１に係止されるとともに、爪１２ａが係止受部１１に係止された状態からドレンパン９を引き下ろした時に、係止受部１１に当接する下部傾斜面１２ｃに沿って係止部１２が弾性変形して係止受部１１から外れるようにしたので、ドレンパン９の取り付けとともに、取り外しも非常に簡単なものが得られるという効果がある。
【００２１】
なお、上記実施の形態では係止部１２を２ヶ所にしてドレンパン９を取り外しやすいものを示したが、係止部は３ヶ所や４ヶ所などであっても良く、着脱の手間が若干増えるものの従来のようにネジ４ヶ所で着脱するよりは着脱を容易に、また、安価にできるものが得られる。また、ドレンパン９をキャビネット２から外す時の係止力を、係止部１２の弾性力のみで無理なく外せるものを示したが、ドレンパン９をキャビネット２の内周部分に接触するようにして、ドレンパン９とキャビネット２の摩擦力を加味して係止力を設定するようにしてもよい。
【００２２】
実施の形態２．
図４はこの発明の実施の形態２の天井埋込形空気調和機を示す図２に相当する断面図である。なお、実施の形態１と同一又は相当部分には同一符号を付し、詳細な説明は省略する。また、記載以外の構造と動作は上記実施の形態１と同一である。実施の形態１では、係止受部１１を板金部材よりなる別部材で形成し、キャビネット２に溶着等で固着してキャビネット２に形成したものを示したが、係止受部１１をキャビネット２と一体に形成してもよい。この実施の形態では図４に示すように、係止受部１１をキャビネット２の一部を切り起こして形成し、角穴１１ａを形成している。
【００２３】
このようにしてもドレンパン９の着脱を容易にできるなど上記実施の形態１と同様の効果が得られ、さらに、係止受部１１をキャビネット２と一体に形成しているので、係止受部１１を形成する別部品を不要にして部品数を少なくでき、さらに安価に構成できる効果もある。
【００２４】
実施の形態３．
図５はこの発明の実施の形態３の天井埋込形空気調和機を示す図２に相当する断面図である。なお、実施の形態１〜２と同一又は相当部分には同一符号を付し、詳細な説明は省略する。また、記載以外の構造と動作は上記実施の形態１〜２と同一である。実施の形態１〜２では、係止部１２を係止受部１１に係止するため角穴１１ａを設けたものを示したが、例えばドレンパン９をキャビネット２の内周に接するようにして、ドレンパン９周囲方向の位置が決まるようにすれば角穴１１ａでなくてもよく、Ｕ字状の切り欠きなどでも可能であり、爪１２ａが掛かる部分があればよい。
【００２５】
この実施の形態では図５に示すように、爪１２ａを外向きに形成し、係止受部１１の辺に爪１２ａが引っ掛かることで角穴を設けないで係止するようにしている。このようにしてもドレンパン９の着脱を容易にできるなど、角穴による効果の他は上記実施の形態１〜２と同様の効果が得られる。
【００２６】
実施の形態４．
図６，図７はこの発明の実施の形態４の天井埋込形空気調和機を示す図で、図６は図２に相当する断面図、図７は図６のドレンパンの矢印表示部分の要部下面図である。なお、実施の形態１〜３と同一又は相当部分には同一符号を付し、詳細な説明は省略する。また、記載以外の構造と動作は上記実施の形態１〜３と同一である。実施の形態１〜３では、係止部１２を上部傾斜面１２ｂと下部傾斜面１２ｃを一連に形成した爪１２ａを備えて、ドレンパン９をキャビネット２から取り外す時もドレンパン９を所定の力で引き下げると係止部１２がそのまま弾性変形して係止受部１１から外れるものを示したが、係止部１２を係止受部１１から外す時に係止部１２を直接弾性変形させて外すようにしてもよい。
【００２７】
また、係止受部１１を実施の形態１では別部品をキャビネット２に固着し、実施の形態２〜３では係止受部１１をキャビネット２と一体にして安価に形成するものを示したが、係止受部１１をキャビネット２に固着して備えた吊り金具３と一体に形成してもよい。
【００２８】
この実施の形態では図６に示すように、２ヶ所の係止受部１１をそれぞれ板金部材等の簡単には変形しない材料から成り、キャビネット２に固着して設けた吊り金具３と一体に形成している。また、このとき、吊り金具３で形成された係止受部１１は、キャビネット２にスリット等を開設して係止受部１１がキャビネット２の外側から内側へ通るようにしている。
【００２９】
また、ドレンパン９と一体に形成される係止部１２は、爪１２ａの凸状部分を、ドレンパン９をキャビネット２内に押し入れて上部傾斜面１２ｂが、角穴１１ａを乗り越えて弾性変形が戻り角穴１１ａに係止されるた時、確実に係止されるように鉤状に形成している。そして、この鉤状の爪１２ａにより、係止部１２が係止受部１１に係止した状態、つまり爪１２ａが角穴１１ａに引っ掛かった状態から、メンテナンス作業者等がドレンパン９をキャビネット２から引き抜こうとしても確実に引っ掛かっているので、ドレンパン９がそのままではキャビネット２か外れないようになる。
【００３０】
このため、係止部１２を係止受部１１から外すことができるように、係止部１２の爪１２ａが係止受部１１の角穴１１ａの引っ掛かる辺から外れる位置まで弾性変形させるレバー１２ｅを係止部１２に一体に形成している。このレバー１２ｅは係止部１２の爪１２ａの逆側、つまりドレンパン９の下方に突出形成し、係止部１２の付根部１２ｄ部分を支点にしてレバー１２ｅを図６に示す矢印方向に弾性変形させることで爪１２ａが角穴１１ａから外れる位置（図６の二点鎖線の位置）へ移動するようにしている。また、このレバー１２ｅを変形させる方向が説明書等を読まなくても容易に判るように、図７に示すように付根部１２ｄにレバー１２ｅの変形させる方向を示す矢印表示１２ｆを設けている。なお、矢印表示１２ｆはドレンパン９の成形時に同時に形成される刻印表示にして、安価に形成している。
【００３１】
次に上記のように構成されるこの実施の形態４のドレンパン９の着脱動作について説明する。メンテナンス等が終了し、ドレンパン９をキャビネット２に取り付ける場合は、ドレンパン９をキャビネット２内の熱交換器６の底面部に突き当たる位置まで挿入していく。その際、ベルマウス９ｃとともに、ドレンパン９の樹脂部材で一体に形成された係止部１２の爪１２ａがキャビネット２側の係止受部１１の角穴１１ａに接触しながら爪１２ａの上部傾斜面１２ｂに沿って案内され図６の二点鎖線形状に示すように変形しながら係止受部１１の角穴１１ａに挿入され、ドレンパン９が熱交換器６の底面部に突き当たる位置で上部傾斜面１２ｂが角穴１１ａを乗り越えて係止部１２が弾性により元の形状位置に戻り、鉤状の爪１２ａが確実に係止受部１１の角穴１１ａに引っ掛かり、ドレンパン９がキャビネット２に容易に取り付けられ、また、ドレンパン９がより確実に取り付けられる。
【００３２】
また、ドレンパン９をメンテナンス等によりキャビネット２から取り外す場合は、ドレンパン９の樹脂部材により一体に形成した係止部１２のレバー１２ｅを矢印表示１２ｆの矢印の方向に抓まんで変形させると、図６の二点鎖線で示すように爪１２ａが係止受部１１の角穴１１ａから外れる位置に弾性変形して移動し、この状態でドレンパン９を下方へ引き下ろすと爪１２ａが角穴１１ａから外れ、ドレンパン９をキャビネット２から容易に取り外すことができる。
【００３３】
このように、係止部１２にレバー１２ｅを設けて係止受部１１から外せるようにしても良く、上記実施の形態１〜３と同様の効果が得られ、さらに、レバー１２ｅにより係止部１２を係止受部１１から確実に外すことができるので、ドレンパン９をキャビネット２に係止させて取り付けた時、係止部１２を係止受部１１へより確実に係止させることができるように構成することができる。また、係止受部１１を吊り金具３と一体に形成しているので、係止受部１１を部品を追加することなく安価に形成でき、また、吊り金具３はキャビネット２等に比較して小さい部品なので、加工が容易であり、さらにまた、係止受部１１の位置の調整も行いやすいものが得られる。
【００３４】
このように、係止受部１１に係止した係止部１２が、係止受部１１から外れるように弾性変形可能なレバー１２ｅを係止部１２に一体に形成したので、係止部１２を係止受部１１へより確実に係止させるようにできる効果がある。
【００３５】
また、キャビネット２にキャビネット２を天井部に吊り下げて固定する吊り金具３を備え、この吊り金具３に係止受部１１を一体に形成したので、係止受部１１を安価に形成できる効果がある。
【００３６】
また、レバー１２ｅの形成位置や形状は上記実施の形態に限定されるものでなく、係止部１２や爪１２ａの形状などによって適宜変えることができるものである。また、矢印表示１２ｆも印刷であったり、別の場所に設けてもよいし、さらに分かりやすい表示にしてもよい。
【００３７】
実施の形態５．
図８はこの発明の実施の形態５の天井埋込形空気調和機を示す図２に相当する断面図である。なお、実施の形態１〜４と同一又は相当部分には同一符号を付し、詳細な説明は省略する。また、記載以外の構造と動作は上記実施の形態１〜４と同一である。実施の形態１〜４では、ドレンパン９の係止部１２側に爪１２ａを設け、キャビネット２側に角穴１１ａを設けて係止するものを示したが、係止受部１１側に爪を設けるとともに係止部１２側に角穴を設けて係止するようにしても良い。
【００３８】
この実施の形態５では図８に示すように、２ヶ所の係止部１２をドレンパン９の樹脂部材によりドレンパン９から略Ｌ字形に突出形成し、弾性変形可能なその側面にドレンパン９をキャビネット２側に係止させる角穴１２ｇを開設している。また、係止部１２に対応するキャビネット２側の係止受部１１は、容易には変形しない板金部材により形成し、ドレンパン９周囲のキャビネット２の対角２ヶ所にスポット溶接等で固着させており、係止部１２を弾性変形させて角穴１２ｇを係止させる屈曲した凸状の爪１１ｂを折曲形成している。
【００３９】
また、この爪１１ｂの凸状部分は、ドレンパン９をキャビネット２内に押し入れた時にドレンパン９の係止部１２の上部が当接して弾性により係止部１２が変形するようにした下部傾斜面１１ｃと、この下部傾斜面１１ｃを角穴１２ｇの上辺が乗り越えて弾性変形が戻り角穴１２ｇが係止される上部傾斜面１１ｄとで一連に形成している。そして、爪１１ｂのこの上部傾斜面１１ｄが角穴１２ｇに係止された時のドレンパン９のキャビネット２への係止力は、ドレンパン９にドレン水が入っていても外れない程度の保持力があり、また、メンテナンス作業者がドレンパン９をキャビネット２から引き抜こうとしたら、上部傾斜面１１ｄに沿ってが係止部１２の角穴１２ｇの縁が当接して爪１１ｂから外れる方向へ弾性変形し、角穴１２ｇが爪１１ｂから外れ、ドレンパン９をキャビネット２から無理なく取り外すことができる程度の係止力にしている。
【００４０】
次に上記のように構成されるこの実施の形態５のドレンパン９の着脱動作について説明する。メンテナンス等が終了し、ドレンパン９をキャビネット２取り付ける場合は、ドレンパン９をキャビネット２内の熱交換器６の底面部に突き当たる位置まで挿入していく。その際、ベルマウス９ｃとともに、ドレンパン９の樹脂部材で一体に形成された係止部１２の上部がキャビネット２側の爪１１ｂの下部傾斜面１１ｃに沿って接触して図８の二点鎖線形状に示すように変形しながら係止部１２の角穴１２ｇの上辺が、下部傾斜面１１ｃを乗り越えてドレンパン９が熱交換器６の底面部に突き当たる位置で係止部１２が弾性により元の形状位置に戻り、角穴１２ｇが爪１１ｂの上部傾斜面１１ｄに引っ掛かり、ドレンパン９がキャビネット２に容易に取り付けられる。
【００４１】
また、ドレンパン９をメンテナンス等によりキャビネット２から取り外す場合は、ドレンパン９を下方へ引き下ろすと、ドレンパン９の樹脂部材により一体に形成した係止部１２の角穴１２ｇが爪１１ｂの上部傾斜面１１ｄに沿って接触しながらドレンパン９をキャビネット２に取り付ける場合と同様に、図８の二点鎖線形状のように変形しながら角穴１２ｇが爪１１ｂから外れ、ドレンパン９をキャビネット２から容易に取り外すことができる。
【００４２】
このようにしても、上記実施の形態１〜４と同様に、天井内に収納されるキャビネット２と、キャビネット２内に内装される熱交換器６と、キャビネット２内の熱交換器６の下方に配置される熱交換器６からの露を受けるドレンパン９と、ドレンパン９周囲のキャビネット２に形成した係止受部１１と、ドレンパン９の少なくとも一部を形成する樹脂部材で一体に形成され、樹脂部材の弾性変形により係止受部１１に着脱可能に係止する係止部１２と、を備え、ドレンパン９をキャビネット２に着脱可能に係止するので、ドレンパン９の着脱に従来のように多くのネジなどを外す必要もなく、ドレンパン９の着脱を容易にしてドレンパン９の着脱作業時間を短縮でき、メンテナンスを容易にできる効果がある。また、ドレンパン９の着脱にネジなどの部品を不用にでき、製品の部品点数を削減して、安価な製品を提供することができるという効果が得られる。
【００４３】
また、係止部１２をドレンパン９の相対する両端部の２ヶ所に設けたので、さらにドレンパン９の着脱を容易にでき、さらにメンテナンスを容易にできる天井埋込形空気調和機を得られるという同様の効果もある。
【００４４】
上記実施の形態１〜５では空気調和機本体１がほぼ矩形形状のものを示したが、長方形のものなど、他の形状のものにも適用できるものである。また、キャビネット２，ドレンパン９，係止受部１１，係止部１２，角穴１１ａ，１２ｇ，爪１２ａ、１１ｂなどの形状や材料及び配置などは、上記実施の形態と同様の機能と効果を有する範囲で適宜変更してもよい。
【００４５】
【発明の効果】
本発明に係わる天井埋込形空気調和機は、天井内に収納されるキャビネットと、前記キャビネット内に内装される熱交換器と、前記キャビネット内の前記熱交換器の下方に配置される前記熱交換器からの露を受けるドレンパンと、前記ドレンパン周囲の前記キャビネットに形成した係止受部と、前記ドレンパンの少なくとも一部を形成する樹脂部材で一体に形成され、樹脂部材の弾性変形により前記係止受部に着脱可能に係止する係止部と、を備え、前記ドレンパンを前記キャビネットに着脱可能に係止するので、メンテナンスを容易にできる天井埋込形空気調和機を得られる効果がある。
【図面の簡単な説明】
【図１】本発明の実施の形態１を示す天井埋込形空気調和機の化粧パネルを取り外した状態の下面図である。
【図２】本発明の実施の形態１を示す図１のＩＩ−ＩＩ線断面図である。
【図３】本発明の実施の形態１を示す図１のドレンパン部分の下面図である。
【図４】本発明の実施の形態２を示す天井埋込形空気調和機の図２に相当する断面図である。
【図５】本発明の実施の形態３を示す天井埋込形空気調和機の図２に相当する断面図である。
【図６】本発明の実施の形態４を示す天井埋込形空気調和機の図２に相当する断面図である。
【図７】本発明の実施の形態４を示す図６のドレンパンの矢印表示部分の要部下面図である。
【図８】本発明の実施の形態５を示す天井埋込形空気調和機の図２に相当する断面図である。
【符号の説明】
１  空気調和機本体、２  キャビネット、３  吊り金具、４  吊りボルト、５送風機、５ａ  送風機モータ、６  熱交換器、７  吸込口、８  吹出口、９  ドレンパン、９ａ  上面部分、９ｂ  発泡材、９ｃ  ベルマウス、１１  係止受部、１１ａ  角穴、１１ｂ  爪、１１ｃ  下部傾斜面、１１ｄ  上部傾斜面、１２  係止部、１２ａ  爪、１２ｂ  上部傾斜面、１２ｃ  下部傾斜面、１２ｄ  付根部，１２ｅ  レバー、１２ｆ  矢印表示、１２ｇ  角穴。
【図１】
2004232952.tif 000003
【図２】
2004232952.tif 000004
【図３】
2004232952.tif 000005
【図４】
2004232952.tif 000006
【図５】
2004232952.tif 000007
【図６】
2004232952.tif 000008
【図７】
2004232952.tif 000009
【図８】
2004232952.tif 000010